(57)【要約】【課題】製造コストを削減できる調理器を提供する。【解決手段】前面を開口して被加熱物を収容する加熱室３と、加熱室３の周囲を覆って外装を形成するキャビネット１０と、加熱室３の前面を開閉する扉４と、キャビネット１０の前面に配して調理操作を行う操作パネル５とを備えた調理器１において、扉４及び操作パネル５がキャビネット１０の外側からネジ止めして固定される。【選択図】図１
2014016049.tif 000002
【特許請求の範囲】
【請求項１】
前面を開口して被加熱物を収容する加熱室と、前記加熱室の周囲を覆って外装を形成するキャビネットと、前記加熱室の前面を開閉する扉と、前記キャビネットの前面に配して調理操作を行う操作パネルとを備えた調理器において、前記扉及び前記操作パネルが前記キャビネットの外側からネジ止めして固定されることを特徴とする調理器。
【請求項２】
前記キャビネット上に露出する接続端子と、前記接続端子に接続される接続部を有した電源コードと、前記接続部を覆って前記キャビネットに取り付けられる電源カバーとを備えたことを特徴とする請求項１に記載の調理器。
【請求項３】
前記扉を閉じた際に係合して前記扉の閉止状態を保持する係合部材と、前記係合部材の位置調整を行う第１調整部とを備え、前記キャビネット上に開口した窓部を介して第１調整部による調整を行うことを特徴とする請求項１または請求項２に記載の調理器。
【請求項４】
前記扉の開閉を検知する開閉検知スイッチと、前記開閉検知スイッチの位置調整を行う第２調整部とを備え、前記窓部を介して第２調整部による調整を行うことを特徴とする請求項３に記載の調理器。
【発明の詳細な説明】
【技術分野】
【０００１】
本発明はＣＴＯ方式により製造される調理器に関する。
【背景技術】
【０００２】
特許文献１には従来の調理器が開示される。この調理器は前面を開口して被加熱物を収納する加熱室を有した本体部と、加熱室の前面を開閉する扉とを備えている。加熱室の周囲は本体部の外装を形成する箱状のキャビネットにより覆われる。キャビネットの前面には操作パネルが配される。操作パネルによって調理メニューの選択や調理の開始等の調理操作が行われる。
【０００３】
キャビネット内にはマイクロ波を発生するマグネトロンが設けられる。マグネトロンの駆動によって加熱室内にマイクロ波を供給し、被加熱物の加熱調理が行われる。また、本体部には商用電源に接続される電源コードが導出される。
【０００４】
近年、調理器は第一国で半完成品の組立てを行い、複数の消費国で各国の仕様に応じた最終組立てを行うＣＴＯ（Configure To Order：注文仕様生産）方式により製造される。これにより、複数の消費国に対して共通の半完成品を一括生産し、調理器の製造コストを削減することができる。
【０００５】
この時、第一国から消費国までの運搬時の耐衝撃性を確保するため、半完成品はキャビネットを取り付けた状態で出荷される。調理器の表面に露出する操作パネルや扉は各消費国の仕様によって異なる。また、電源コードのプラグ形状が各消費国の仕様によって異なる。このため、第一国から運搬された半完成品は消費国でキャビネットを分解した後、操作パネル、扉及び電源コードが取り付けられる。そして、キャビネットが再度取り付けられて最終完成品が得られる。
【先行技術文献】
【特許文献】
【０００６】
【特許文献１】特開２００３−１３９３３６号公報（第２頁〜第３頁、第１図）
【発明の概要】
【発明が解決しようとする課題】
【０００７】
しかしながら、上記従来の調理器によると、第一国で取り付けられたキャビネットを消費国で取り外し、最終組立てを行った後に再度キャビネットを取り付ける。このため、キャビネットの着脱作業を必要とし、調理器の製造コストを十分削減できない問題があった。
【０００８】
本発明は、製造コストを削減できる調理器を提供することを目的とする。
【課題を解決するための手段】
【０００９】
上記目的を達成するために本発明は、前面を開口して被加熱物を収容する加熱室と、前記加熱室の周囲を覆って外装を形成するキャビネットと、前記加熱室の前面を開閉する扉と、前記キャビネットの前面に配して調理操作を行う操作パネルとを備えた調理器において、前記扉及び前記操作パネルが前記キャビネットの外側からネジ止めして固定されることを特徴としている。
【００１０】
この構成によると、外装を形成するキャビネットの内部を組立てられた半完成品が第一国から消費国に運搬される。消費国では各国の仕様に応じた扉及び操作パネルがキャビネットの外側からネジ止めして最終組立てが行われる。
【００１１】
また本発明は、上記構成の調理器において、前記キャビネット上に露出する接続端子と、前記接続端子に接続される接続部を有した電源コードと、前記接続部を覆って前記キャビネットに取り付けられる電源カバーとを備えたことを特徴としている。この構成によると、消費国で各国の仕様に応じた電源コードがキャビネット上に露出する接続端子に接続部を介して接続され、接続部が電源カバーにより覆われる。
【００１２】
また本発明は、上記構成の調理器において、前記扉を閉じた際に係合して前記扉の閉止状態を保持する係合部材と、前記係合部材の位置調整を行う第１調整部とを備え、前記キャビネット上に開口した窓部を介して第１調整部による調整を行うことを特徴としている。この構成によると、扉が取り付けられると窓部を介してキャビネットの外側から第１調整部により係合部材の位置調整が行われる。
【００１３】
また本発明は、上記構成の調理器において、前記扉の開閉を検知する開閉検知スイッチと、前記開閉検知スイッチの位置調整を行う第２調整部とを備え、前記窓部を介して第２調整部による調整を行うことを特徴としている。この構成によると、扉が取り付けられると窓部を介してキャビネットの外側から第２調整部により開閉検知スイッチの位置調整が行われる。
【発明の効果】
【００１４】
本発明によると、扉及び操作パネルがキャビネットの外側からネジ止めして固定される。これにより、第一国でキャビネットの内部を組立てられた半完成品を消費国に運搬する際の破損を防止し、消費国でキャビネットを取り外すことなく扉及び操作パネルを取り付けて最終完成品を組立てることができる。従って、調理器の製造コストを削減することができる。
【図面の簡単な説明】
【００１５】
【図１】本発明の実施形態の調理器を示す概略斜視図
【図２】本発明の実施形態の調理器を背面から見た斜視図
【図３】本発明の実施形態の調理器の半完成品を示す斜視図
【図４】本発明の実施形態の調理器の扉の背面部を取り付けた状態を示す斜視図
【図５】本発明の実施形態の調理器の操作パネルを取り付けた状態を示す斜視図
【図６】本発明の実施形態の調理器の扉の前面部を取り付けた状態を示す斜視図
【図７】本発明の実施形態の調理器の係合部材の位置調整を行う状態を示す斜視図
【図８】本発明の実施形態の調理器の電源コードの取り付け前の状態を示す斜視図
【図９】本発明の実施形態の調理器の電源コードの取り付け後の状態を示す斜視図
【発明を実施するための形態】
【００１６】
＜第１実施形態＞
以下に本発明の実施形態を図面を参照して説明する。図１、図２は一実施形態の調理器を示す概略斜視図及び背面から見た斜視図である。調理器１は被加熱物を収納する加熱室３を有した本体部２と、本体部２に枢支して加熱室３を開閉する扉４とを備えている。加熱室３の周囲は本体部２の外装を形成する箱状のキャビネット１０により覆われる。キャビネット１０の内部には被加熱物を加熱するマグネトロン（不図示）や制御回路（不図示）等の電装部品が配される。各電装部品は商用電源に接続される電源コード８を介して電力供給される。
【００１７】
キャビネット１０は扉４に対向する前面パネル１１を有し、前面パネル１１の左右端には左右方向に突出して上下方向に延びたアングル１２が設けられる。扉４は閉じた際にアングル１２に当接する。前面パネル１１の右上部には貫通孔１１ａが設けられ、扉４には貫通孔１１ａに挿入されるフック４ａが設けられる。フック４ａは後述する係合部材２１（図７参照）に係合し、扉４の閉止状態が保持される。
【００１８】
前面パネル１１の上部には操作パネル５が配される。操作パネル５によって調理メニューの選択や調理の開始等の調理操作が行われる。
【００１９】
調理器１は第一国で半完成品の組立てを行い、複数の消費国で各国の仕様に応じた最終組立てを行うＣＴＯ方式により製造される。これにより、複数の消費国に対して共通の半完成品を一般に人件費の低い第一国で一括生産し、調理器の製造コストを削減することができる。本実施形態では消費国毎に仕様の異なる扉４、操作パネル５及び電源コード８が消費国で組立てられる。
【００２０】
図３は調理器１の半完成品３０を示す斜視図である。半完成品３０はキャビネット１０の内部の各電装部品等が取り付けられ、キャビネット１０を取り付けた状態に組立てられる。キャビネット１０を取り付けることにより半完成品３０の強度が向上し、第一国から消費国までの運搬時の耐衝撃性を確保することができる。
【００２１】
図４〜図９は消費国における調理器１の最終組立ての各工程を示す斜視図である。図４は扉４の背面部４ｃを取り付けた状態を示している。扉４は前面部４ｂ（図６参照）と背面部４ｃとに分割され、背面部４ｃには扉４を回動可能に支持するヒンジ部４ｄが一体に設けられる。ヒンジ部４ｄは貫通孔４ｅを介してキャビネット１０の底板１３上にネジ止めして固定される。
【００２２】
図５は操作パネル５を取り付けた状態を示している。操作パネル５はアングル１２に当接した状態でキャビネット１０に取り付けられる。即ち、前述の図２に示すように、操作パネル５は背面側に突出する水平な取付板５ａを有し、取付板５ａには貫通孔５ｂが設けられる。操作パネル５は貫通孔５ｂを介してキャビネット１０の天板１４上にネジ止めして固定される。
【００２３】
図６は扉４の前面部４ｂを取り付けた状態を示している。扉４の前面部４ｂは背面部４ｃ（図４参照）を開いた状態で扉４の背面側から背面部４ｂにネジ止めして固定される。
【００２４】
図７は扉４の係合部材２１の位置調整を行う状態を示している。キャビネット１０の右側面には窓部２０が設けられる。窓部２０は窓部カバー１５（図２参照）により覆われ、窓部カバー１５を取り外すと窓部２０を介してキャビネット１０の内部が露出する。
【００２５】
キャビネット１０内の右上部には係合部材２１が設けられる。係合部材２１は窓部１５から露出する調整ネジ２３で固定される軸部（不図示）で前後方向に回動可能に配される。係合部材２１には前方に延びる第１レバー（不図示）が設けられ、閉じられた扉４のフック４ａ（図１参照）に第１レバーが係合する。これにより、扉４の閉止状態が保持される。
【００２６】
また、係合部材２１には後方に延びる第２レバー２１ａが設けられ、キャビネット１０内には扉４の開閉を検知する開閉検知スイッチ２２が設けられる。第２レバー２１ａは第１レバーがフック４ａから離脱した際に回動によって開閉検知スイッチ２２を押圧してこれをオフ状態にする。また、第２レバー２１ａは第１レバーがフック４ａに係合した際に開閉検知スイッチ２２から離れてこれをオン状態にする。
【００２７】
調整ネジ２３はキャビネット１０上に設けた調整ネジ２３の挿通孔（不図示）との遊びによって上下方向及び前後方向に係合部材２１の位置調整を行うことができる。これにより、係合部材２１が扉４を閉じた際にフック４ａと係合するとともに開閉検知スイッチ２２から離れ、開いた際に開閉検知スイッチ２２を押圧するように位置調整される。
【００２８】
従って、調整ネジ２３は扉４の閉止状態を保持する係合部材２１の位置調整を行うとともに、係合部材２１に対する開閉検知スイッチ２２の相対位置の調整を行う。尚、調整ネジ２３と異なる調整部により窓部２０を介して開閉検知スイッチ２２の位置調整を行ってもよい。
【００２９】
図８、図９は電源コード８の取り付け状態を示している。半完成品３０の状態ではキャビネット１０の背面には電力供給用の接続端子２５が露出する。電源コード８の先端の端子部８ａは接続端子２５に接続される。また、電源コード８に設けたゴム等から成る抜け止め部材８ｂがキャビネット１０の背面に突出する支持部１０ｄに圧入される。そして、端子部８ａを覆うように電源カバー１８（図２参照）が外側からネジ止めされる。
【００３０】
本実施形態によると、扉４及び操作パネル５がキャビネット１０の外側からネジ止めして固定される。これにより、第一国でキャビネット１０の内部を組立てられた半完成品３０を消費国に運搬する際の破損を防止し、消費国でキャビネット１０を取り外すことなく扉４及び操作パネル５を取り付けて最終完成品を組立てることができる。従って、調理器１の製造コストを削減することができる。
【００３１】
また、キャビネット１０上に接続端子２５が露出し、接続端子２５に接続した電源コード８の接続部８ａを覆う電源カバー１８がキャビネット１０に取り付けられる。従って、キャビネット１０を取り外すことなく各消費国で異なる電源コード８を取り付けることができ、調理器１の製造コストをより削減することができる。
【００３２】
また、扉４の閉止状態を保持する係合部材２１の位置調整を調整ネジ２３（第１調整部）により窓部２０を介して行う。従って、各消費国で異なる扉４を取り付けた後にキャビネット１０を取り外すことなく係合部材２１を位置調整し、調理器１の製造コストをより削減することができる。
【００３３】
また、扉４の開閉検知スイッチ２２の相対位置の調整を調整ネジ２３（第２調整部）により窓部２０を介して行う。従って、各消費国で異なる扉４を取り付けた後にキャビネット１０を取り外すことなく開閉検知スイッチ２２の相対位置を調整し、調理器１の製造コストをより削減することができる。
【産業上の利用可能性】
【００３４】
本発明によると、ＣＴＯ方式により製造される調理器に利用することができる。
【符号の説明】
【００３５】
１    調理器
２    本体部
３    加熱室
４    扉
４ａ  フック
４ｄ  ヒンジ部
５    操作パネル
８    電源コード
８ａ  接続部
１０    キャビネット
１１    前面パネル
１１ａ  貫通孔
１２    アングル
１５    窓部カバー
１８    電源カバー
２０    窓部
２１    係合部材
２２    開閉検知スイッチ
２３    調整ネジ
２５    接続端子
３０    半完成品
【図１】
2014016049.tif 000003
【図２】
2014016049.tif 000004
【図３】
2014016049.tif 000005
【図４】
2014016049.tif 000006
【図５】
2014016049.tif 000007
【図６】
2014016049.tif 000008
【図７】
2014016049.tif 000009
【図８】
2014016049.tif 000010
【図９】
2014016049.tif 000011